(57)【要約】【課題】遊技基盤と洗浄液との飛散防止を図る。【解決手段】洗浄液１０が洗浄槽３に貯蔵され、ブラシ機構５が停止し、カバー６が開放され、洗浄対象物品としての遊技基盤５６の転着紙６１の残る側の面がブラシ機構５の方に向けられ、遊技基盤５６が洗浄槽３の盤取込口１１に収容された後、クランプ４が盤取込口１１に収容された洗浄対象物品たる遊技基盤５６を掴み、その後、カバー６が閉鎖され、ブラシ機構５を駆動して洗浄槽３の内部に貯蔵された洗浄液１０を含んで遊技基盤５６から転着紙６１を除去し、ブラシ機構５の駆動開始からの経過時間が洗浄規定時間に到達すると、制御装置８がブラシ機構５を停止するとともに報知器９を駆動し、報知器９が洗浄の終了を知らせ、作業者がカバー６を開放しかつクランプ４を解除して洗浄の終了した遊技基盤５６を洗浄槽３から取り出す。【選択図】図１
2008188250.tif 000002
【特許請求の範囲】
【請求項１】
洗浄液の貯蔵される洗浄槽と、洗浄対象物品として転着紙の残る側の面を洗浄槽の内部に向けた遊技基盤を収容する上下方向への貫通孔として洗浄槽の上壁に設けられた盤取込口と、盤取込口に収容された遊技基盤を掴むために洗浄槽の上壁に設けられたクランプと、クランプで掴まれた遊技基盤から転着紙を除去するように駆動するブラシ機構と、クランプで掴まれた遊技基盤を覆うように洗浄槽の上壁の上に開閉可能に設けられたカバーとを備えたことを特徴とする遊技基盤洗浄装置。
【請求項２】
請求項１に記載のブラシ機構が駆動開始からの経過時間の洗浄規定時間に到達したことによってブラシ機構を停止する制御装置を備えたことを特徴とする遊技基盤洗浄装置。
【請求項３】
請求項２に記載の制御装置が洗浄の終了を知らせる報知器を備えたことを特徴とする遊技基盤洗浄装置。
【発明の詳細な説明】
【技術分野】
【０００１】
本発明は、遊技基盤と洗浄液との飛散防止が図れる遊技基盤洗浄装置に関する。
【背景技術】
【０００２】
遊技店から使用済遊技盤を回収して資源として再利用することは知られている。図６において、遊技店５１から回収した使用済遊技盤５２を資源として再利用するまでの工程について説明する。遊技店５１から回収依頼された使用済遊技盤５２をトラック５３で集荷場５４に集荷する。この集荷された使用済遊技盤５２から遊技部品５５を取り外す。遊技部品５５としては、ガイドレール、入賞部品、装飾部品、球誘導構造体、遊技釘などである。この遊技部品５５の取り外された使用済遊技盤５２は、遊技基盤５６に化粧シート５７を水溶性エマルジョンタイプの接着剤５８で結合した構造である。遊技基盤５６は、ベニヤなどの木材から板状に構成される。化粧シート５７は、透明な合成樹脂からなる表面パネル５９の後面に化粧層６０を印刷で形成し、化粧層６０の後面に転着紙６１を接着剤６２で結合した構造である。化粧層６０は、使用済遊技盤５２の盤面を構成する図柄などの形象を構成する。転着紙６１は、白色のケント紙などにより構成される。そして、上記遊技部品５５の取り外された使用済遊技盤５２は、化粧シート５７の転着紙６１の後面が遊技基盤５６の前面に接着剤５８で結合された構造である。次に、上記遊技部品５５の取り外された使用済遊技盤５２を化粧シート５７と遊技基盤５６とに分解し、遊技基盤５６を資源として再利用することが考えられるが、この場合、転着紙６１の一部が遊技基盤５６に残る場合がある。このように転着紙６１が遊技基盤５６に残ると、遊技基盤５６を資源として適切に使用することができないという欠点がある。そこで、転着紙６１の残存する遊技基盤５６を図外の洗浄装置に供給し、洗浄装置のコンベアで転着紙６１の残存する遊技基盤５６を搭載して搬送する過程において、水を噴射した後、ブラシで転着紙６１を除去することが考えられるが、ブラシで転着紙６１を除去する場合、水や遊技基盤５６がコンベアから周囲に飛散する可能性があるので、にわかに採用しがたい。
【特許文献１】特開平９−１３１４５６号公報
【特許文献２】特開２００３−１１２１３１号公報
【特許文献３】特開２００６−２１８３８９号公報
【発明の開示】
【発明が解決しようとする課題】
【０００３】
発明が解決しようとする問題点は、コンベアで転着紙の残存する遊技基盤を搭載して搬送する構造の洗浄装置がにわかに採用しがたいという点である。
【課題を解決するための手段】
【０００４】
本発明に係る遊技基盤洗浄装置は、洗浄液の貯蔵される洗浄槽と、洗浄対象物品として転着紙の残る側の面を洗浄槽の内部に向けた遊技基盤を収容する上下方向への貫通孔として洗浄槽の上壁に設けられた盤取込口と、盤取込口に収容された遊技基盤を掴むために洗浄槽の上壁に設けられたクランプと、クランプで掴まれた遊技基盤から転着紙を除去するように駆動するブラシ機構と、クランプで掴まれた遊技基盤を覆うように洗浄槽の上壁の上に開閉可能に設けられたカバーとを備えたことを最も主要な特徴とする。ブラシ機構が駆動開始からの経過時間の洗浄規定時間に到達したことによってブラシ機構を停止する制御装置を備えたり、または、制御装置が洗浄の終了を知らせる報知器を備えたりしてもよい。
【発明の効果】
【０００５】
本発明に係る遊技基盤洗浄装置は、ブラシ機構で転着紙を除去する場合、クランプが洗浄対象物品たる遊技基盤を掴んでいるので、遊技基盤が盤取込口から周囲に飛散することなく、安全であるという利点があるうえ、洗浄槽の上壁に開閉可能に設けられたカバーが盤取込口に収容された遊技基盤を覆うように閉じられることによって、カバーが遊技基盤と盤取込口との間の隙間から外側に飛散した洗浄液をそれ以上外側に飛散しないように受け止めるという利点がある。ブラシ機構が駆動開始からの経過時間の洗浄規定時間に到達したことによってブラシ機構を停止する制御装置を備えれば、ブラシ機構が停止した場合、転着紙が遊技基盤から除去されているので、ブラシ機構の無駄な駆動が無くなるという利点がある。制御装置が洗浄の終了を知らせる報知器を備えれば、転着紙が遊技基盤から除去され、ブラシ機構が停止したことを、作業者が適切に把握できるので、報知器からの洗浄の終了の知らせを聞いた作業者が洗浄の終了した遊技基盤を早く取り出すことができるという利点がある。
【発明を実施するための最良の形態】
【０００６】
図１は、発明を実施するための最良の形態に係る遊技基盤洗浄装置１を示す。図１において、遊技基盤洗浄装置１は、洗浄槽３、クランプ４、ブラシ機構５、カバー６、操作盤７、制御装置８、報知器９を備える。そして、洗浄液１０としての水が洗浄槽３に貯蔵され、ブラシ機構５が停止し、カバー６が開放された状態において、洗浄対象物品としての遊技基盤５６の転着紙６１の残る側の面がブラシ機構５の方に向けられ、遊技基盤５６が洗浄槽３の盤取込口１１に収容された後、クランプ４が操作され、クランプ４が盤取込口１１に収容された洗浄対象物品たる遊技基盤５６を掴む。
【０００７】
その後、カバー６が作業者によって閉鎖され、操作盤７が作業者によって操作されて開始信号を制御装置８に出力し、制御装置８がブラシ機構５を駆動すると、ブラシ機構５が洗浄槽３の内部に貯蔵された洗浄液１０を含んで遊技基盤５６から転着紙６１を除去する。このようにブラシ機構５で転着紙６１を除去する場合、クランプ４が洗浄対象物品たる遊技基盤５６を掴んでいるので、遊技基盤５６が盤取込口１１から周囲に飛散することなく、安全であるという利点がある。洗浄槽３の上壁の上に開閉可能に設けられたカバー６が盤取込口１１に収容された遊技基盤５６を覆うように閉じられることによって、カバー６が遊技基盤５６と盤取込口１１との間の隙間から外側に飛散した洗浄液１０をそれ以上外側に飛散しないように受け止めるという利点がある。
【０００８】
制御装置８は、ブラシ機構５の駆動を開始してからの経過時間を計時し、その計時した経過時間が洗浄規定時間に到達すると、ブラシ機構５を停止するので、ブラシ機構５が停止した場合、接着剤５８および転着紙６１が遊技基盤５６から除去されているから、ブラシ機構５の無駄な駆動が無くなるという利点がある。洗浄規定時間は、ブラシ機構５が駆動を開始してから接着剤５８および転着紙６１が遊技基盤５６から除去されるまでの時間として、経験則から求められ、制御装置８のＲＯＭに設定される。ブラシ機構５の駆動を開始してからの経過時間が洗浄規定時間に到達し、ブラシ機構５が停止する場合、制御装置８が報知器９を駆動し、報知器９が洗浄の終了を知らせるので、報知器９からの洗浄の終了の知らせを聞いた作業者が、カバー６を開放し、クランプ４を解除し、洗浄の終了した遊技基盤５６を洗浄槽３の外部に早く取り出すことができるという利点がある。
【０００９】
洗浄槽３には、盤取込口１１、給水栓１２、排水栓１３が設けられる。盤取込口１１は、化粧シート５７の除去された遊技基盤５６を収容するために、洗浄槽３の上壁に上下方向への貫通孔として形成される。給水栓１２は、図外の水道栓に接続され、洗浄槽３に洗浄液１０としての水を供給するために、洗浄槽３に設けられる。排水栓１３は、洗浄液１０を洗浄槽３から抜き取るために、洗浄槽３に設けられる。クランプ４は、盤取込口１１に収容された洗浄対象物品である遊技基盤５６を掴む道具であって、洗浄槽３の上壁に設けられる。
【００１０】
ブラシ機構５は、モータ１４、駆動輪１５、従動輪１６、遊動輪１７、無端ブラシ１８を備える。モータ１４は、洗浄槽３の外側または筐体２に固定される。駆動輪１５は、洗浄槽３の内部における一端部に回転可能に装着される。駆動輪１５における軸の一端部が洗浄槽３を内外に回転可能に液漏れしないように貫通する。駆動輪１５における軸の洗浄槽３よりも外側に突出した一端部には、モータ１４の出力軸が連結される。従動輪１６は、洗浄槽３の内部における他端部に回転可能に装着される。遊動輪１７は、駆動輪１５と従動輪１６との間に位置し、洗浄槽３の内部に回転可能に装着される。無端ブラシ１８は、ブラシ１９が外側に向くように、駆動輪１５と従動輪１６とに掛け渡される。無端ブラシ１８の駆動輪１５と従動輪１６との間における部分は、遊動輪１７で支持される。
【００１１】
よって、モータ１４が制御装置８によって一方向に回転するように駆動されると、無端ブラシ１８が矢印Ｘ１で示す方向または逆方向に周回運動する。この無端ブラシ１８の周回運動に伴い、無端ブラシ１８の上側のブラシ１９が洗浄槽３の内部に貯蔵された洗浄液１０を含んだまま遊技基盤５６における転着紙６１の残る側の面を洗浄し、無端ブラシ１８の上側のブラシが遊技基盤５６から転着紙６１を削り取る。この遊技基盤５６から除去された転着紙６１は、無端ブラシ１８の上側のブラシ１９が下側に移動して洗浄槽３の内部に貯蔵された洗浄液１０の中を移動するのに伴い、洗浄液１０の抵抗によってブラシ１９から剥がれて洗浄液１０に取り込まれるという利点がある。
【００１２】
給水栓１２が洗浄槽３に設けられたので、給水栓１２を水道栓に接続し、水道栓および給水栓１２を開き、洗浄液１０としての水が洗浄槽３に適切に供給できるという利点がある。排水栓１３が洗浄槽３に設けられたので、洗浄液１０に含まれる転着紙６１の量が多くなり、洗浄液１０の転着紙６１による汚濁が進行した場合、排水栓１３を開き、汚れた洗浄液１０が洗浄槽３から簡単に抜き取れるという利点がある。排水栓１３から抜き取られた洗浄液１０を遊技基盤洗浄装置１の設置された建屋から屋外に排水する図外の排水管が合併槽などの汚泥処理設備に接続されれば、環境保全上も好適である。
【産業上の利用可能性】
【００１３】
図１において、ブラシ機構５が停止し、転着紙６１の付着した遊技基盤５６がクランプ４で掴まれた状態において、遊技基盤５６の転着紙６１が洗浄液１０に浸る程度に、洗浄液１０が洗浄槽３の内部に貯蔵されれば、ブラシ機構５が駆動した場合、転着紙６１が遊技基盤５６から短時間で剥がれるという利点がある。洗浄槽３の上壁は開閉可能に構成されてもよい。
【００１４】
図２は、発明を実施するための異なる第１の形態に係る盤取込口１１に洗浄対象物品たる遊技基盤５６を支持する一対のクランプ２１；２２を示す。クランプ２１；２２は、図１や図４または図５のクランプ４に相当する。図２のａ図に示すように、クランプ２１；２２は、無端ブラシ１８の矢印Ｘ１で示す周回運動の方向に相対峙するように洗浄槽３の上壁に設けられる。クランプ２１は、洗浄槽３の上壁に固定され、クランプ２１の先端部が盤取込口１１の上に突出する。クランプ２２は、軸２３を中心として洗浄槽３の上壁と平行に回転するように洗浄槽３の上壁に設けられる。クランプ２２と洗浄槽３の上壁とには、ばね２４が掛け渡される。ばね２４は、クランプ２２の軸２３よりも盤取込口１１の方に位置する先端部が盤取込口１１の上に突出するように、弾性をクランプ２２に付与する。洗浄槽３の上壁には、ストッパ２５が設けられる。ばね２４の弾性がクランプ２２に付与され、クランプ２２に外力が作用しない場合、クランプ２２はストッパ２５で受け止められる。
【００１５】
そして、図２のｂ図に示すように、クランプ２２の先端部が盤取込口１１より外側に逃げる方向に、クランプ２２がばね２４の弾性に抗して操作され、洗浄対象物品たる遊技基盤５６が洗浄槽３の盤取込口１１に収容される。その後、図２のｃ図に示すように、上記クランプ２２に対する操作が解除されると、クランプ２２の先端部がばね２４の弾性によって盤取込口１１の上に突出し、上記盤取込口１１に収容された遊技基盤５６がクランプ２１の先端部とクランプ２２の先端部とに掴まれる。遊技基盤５６がクランプ２１とクランプ２２とに掴まれた場合、クランプ２２がストッパ２５から離れていれば、ばね２４の弾性がクランプ２１とクランプ２２とで遊技基盤５６を掴む方向に遊技基盤５６に付与される。可動するクランプ２２は、エアシリンダまたは電磁ソレノイドまたはモータなどのアクチュエータでクランプ２１の方に移動したりクランプ２１から離れる方向に移動したりするように構成してもよい。ばね２４は、引張ばね以外の圧縮ばねまたは二股ばねなどでもよい。図２のｂ図およびｃ図において、洗浄対象物品たる遊技基盤５６に設けられた貫通孔６３は、図６の遊技部品５５が取り除かれた残渣孔である。
【００１６】
図３は、発明を実施するための異なる第２の形態に係る確認部２７を示す。図３において、確認部２７は、窓２８および透明体２９を備える。窓２８は、上下方向への貫通孔として、洗浄槽３の上壁に設けられる。透明体２９は、窓２８を塞ぐように洗浄槽３の上壁に固定される。よって、確認部２７は、洗浄液１０が洗浄槽３から漏れないようになっている。そして、作業者が洗浄槽３の外側から確認部２７を見ることによって、洗浄槽３の内部の状態や洗浄液１０の汚れ具合などを確認することができる。確認部２７は、洗浄槽３の側壁に設けてもよい。
【００１７】
図４は、発明を実施するための異なる第３の形態に係る遊技基盤洗浄装置１を示す。図４において、ブラシ機構５は、円盤ブラシ３１が洗浄槽３の内部に配置され、円盤ブラシ３１に軸３２が洗浄槽３を内外に回転可能に液漏れしないように貫通する。軸３２の洗浄槽３よりも外側に突出した一端部には、モータ１４の出力軸が連結される。円盤ブラシ３１のブラシ３３は、盤取込口１１と対向するように上に向けられる。そして、洗浄液１０としての水が洗浄槽３に貯蔵され、ブラシ機構５が停止し、カバー６が開放された状態において、洗浄対象物品としての遊技基盤５６の転着紙６１の残る側の面がブラシ機構５の方に向けられ、遊技基盤５６が洗浄槽３の盤取込口１１に収容された後、クランプ４が操作され、クランプ４が盤取込口１１に収容された洗浄対象物品たる遊技基盤５６を掴む。その後、カバー６が作業者によって閉鎖され、操作盤７が作業者によって操作されて開始信号を制御装置８に出力し、制御装置８がブラシ機構５を駆動すると、円盤ブラシ３１が遊技基盤５６と平行な方向に回転して洗浄槽３の内部に貯蔵された洗浄液１０を含んで遊技基盤５６から転着紙６１を削り取る。
【００１８】
図５は、発明を実施するための異なる第４の形態に係る洗浄液１０を循環して使用する遊技基盤洗浄装置１を示す。図５において、洗浄槽３の底部に排水路３５；３６を接続する。排水路３５には、開閉弁３７およびフィルタ３８を設ける。排水路３６には、開閉弁３９およびフィルタ４０を設ける。排水路３５；３６の出口は、回収槽４１に接続される。回収槽４１には、排水栓４２およびポンプ４３が設けられる。ポンプ４３の出口は循環路４４で洗浄槽３の上部に接続される。
【００１９】
そして、開閉弁３７；３９が閉じられ、洗浄液１０としての水が洗浄槽３に貯蔵された状態において、洗浄対象物品としての遊技基盤５６の転着紙６１がブラシ機構５で削り取られ、洗浄液１０の転着紙６１による汚濁が進行した場合、例えば、開閉弁３７を開くと、汚れた洗浄液１０が洗浄槽３から排水路３５に導出される。この排水路３５に導出された洗浄液１０がフィルタ３８を通過する場合、フィルタ３８が転着紙６１を捕捉する。よって、転着紙６１の除去された洗浄液１０が回収槽４１に貯蔵される。洗浄槽３が空になったら、開閉弁３７を閉じた後、ポンプ４３が駆動され、洗浄液１０が回収槽４１からポンプ４３および循環路４４を経由して洗浄槽３に揚水される。このように洗浄液１０を循環して使用することができる。
【００２０】
また、フィルタ３８が転着紙６１で目詰まりした場合、フィルタ３８を排水路３５から外部に取り出して洗浄して再使用することができる。このようにフィルタ３８の洗浄中において、汚れた洗浄液１０を洗浄槽３から抜き取る場合、開閉弁３９が開けられることによって、汚れた洗浄液１０が洗浄槽３から排水路３６に導出される。この排水路３６に導出された洗浄液１０がフィルタ４０を通過する場合、フィルタ４０が転着紙６１を捕捉する。よって、転着紙６１の除去された洗浄液１０が回収槽４１に貯蔵される。洗浄槽３が空になったら、開閉弁３７を閉じた後、ポンプ４３が駆動され、洗浄液１０が回収槽４１からポンプ４３および循環路４４を経由して洗浄槽３に揚水されるという利点がある。
【００２１】
排水栓４２が回収槽４１に設けられたので、排水栓４２を開き、汚れた洗浄液１０を回収槽４１から簡単に抜き取れるという利点がある。排水栓４２から抜き取られた洗浄液１０を遊技基盤洗浄装置１の設置された建屋から屋外に排水する図外の排水管が合併槽などの汚泥処理設備に接続されれば、環境保全上も好適である。開閉弁３７；３９、ポンプ４３は、制御装置８で駆動してもよい。この場合、開閉弁３７；３９は電磁弁により構成され、ポンプ４３は電動ポンプで構成されればよい。
【００２２】
図１または図５において、洗浄槽３の内部にブラシ洗浄機構を設けてもよい。ブラシ洗浄機構としては、ロールブラシをモータで回転することによって、ロールブラシが無端ブラシ１８のブラシ１９を擦過し、ブラシ１９に詰まった接着剤５８や転着紙６１などの屑をブラシ１９から洗浄液１０の内部に除去する構造であってもよい。または、ブラシ洗浄機構としては、固定部材を洗浄槽３に内部に設置し、無端ブラシ１８が周回運動することによって、固定部材が無端ブラシ１８のブラシ１９を擦過し、ブラシ１９に詰まった接着剤５８や転着紙６１などの屑をブラシ１９から洗浄液１０の内部に除去する構造であってもよい。
【図面の簡単な説明】
【００２３】
【図１】遊技基盤洗浄装置の模式図（最良の形態）。
【図２】クランプの平面図（異なる第１形態）。
【図３】確認部の断面図（異なる第２形態）。
【図４】遊技基盤洗浄装置の模式図（異なる第３形態）。
【図５】遊技基盤洗浄装置の模式図（異なる第４形態）。
【図６】使用済遊技盤の回収から分解までの工程図（従来）。
【符号の説明】
【００２４】
１は遊技基盤洗浄装置、２は筐体、３は洗浄槽、４はクランプ、５はブラシ機構、６はカバー、７は操作盤、８は制御装置、１０は洗浄液、１１は盤取込口、１２は給水栓、１３は排水栓、１４はモータ、１５は駆動輪、１６は従動輪、１７は遊動輪、１８は無端ブラシ、１９はブラシ、２０は欠番、２１はクランプ、２２はクランプ、２３は軸、２４はばね、２５はストッパ、２６は欠番、２７は確認部、２８は窓、２９は透明体、３０は欠番、３１は円盤ブラシ、３２は軸、３３はブラシ、３４は欠番、３５は排水路、３６は排水路、３７は開閉弁、３８はフィルタ、３９は開閉弁、４０はフィルタ、４１は回収槽、４２は排水栓、４３はポンプ、４４は循環路、４５乃至５０は欠番、５１は遊技店、５２は使用済遊技盤、５３はトラック、５４は集荷場、５５は遊技部品、５６は遊技基盤、５７は化粧シート、５８は接着剤、５９は表面パネル、６０は化粧層、６１は転着紙、６２は接着剤、６３は貫通孔（残渣孔）。
【図１】
2008188250.tif 000003
【図２】
2008188250.tif 000004
【図３】
2008188250.tif 000005
【図４】
2008188250.tif 000006
【図５】
2008188250.tif 000007
【図６】
2008188250.tif 000008